(57)【要約】      （修正有）【課題】被測定物に容易に固定することができ、繰返し測定のために被測定物から剥離した後、次回測定のために準備する手間のかからない表面温度センサーを提供する。【解決手段】２枚の絶縁性シート２０Ａ，２０Ｂで熱電対１０を挟んで構成する。一の絶縁性シート２０Ａの熱電対面２１Ａに粘着力を有する接着剤２３を塗布し、反熱電対面２２Ａに繰返し粘着力を有する接着剤２４を塗布してその上に剥離紙３０を貼着した。更に絶縁性シート２０Ａを耐熱性のある絶縁性シートとした。【選択図】図１
0003184781.tif 000002
【実用新案登録請求の範囲】
【請求項１】
２枚の絶縁性シートで熱電対を挟んだ表面温度センサーにおいて、
前記絶縁性シートの内の少なくともいずれかの絶縁性シートの熱電対面が粘着力を有し、前記絶縁性シートの内のいずれかの絶縁性シートの反熱電対面が繰返し粘着力を有することを特徴とする表面温度センサー。
【請求項２】
請求項１に記載の表面温度センサーにおいて、
前記絶縁性シートが耐熱絶縁性シートであることを特徴とする表面温度センサー。
【請求項３】
請求項１又は２に記載の表面温度センサーにおいて、
反熱電対面が繰返し粘着力を有する前記絶縁性シートの反熱電対面側に剥離紙を貼着したことを特徴とする表面温度センサー。
【考案の詳細な説明】
【技術分野】
【０００１】
本考案は、被測定物の表面温度を計測する表面温度センサーに関する。
【背景技術】
【０００２】
表面温度センサーは、被測定物の温度分布を計測するために、一つの被測定物に対し非常に多くの表面温度センサーが使用されることが多い。しかも、被測定物の同一箇所について測定条件を同一にして連続して測定するため被測定物上に表面温度センサーを固定する必要がある。
【０００３】
そのため、従来は、表面温度センサーの上から粘着テープで覆うようにして被測定物に表面温度センサーを固定していた。又は、いずれかの絶縁性シートの反熱電対面に接着剤を塗布し、被測定物との間に接着剤を介在させて表面温度センサーを固定していた。
【０００４】
しかし、数多くの表面温度センサーを粘着テープで固定するには、表面温度センサーの数だけ粘着テープを所定の大きさに切断準備し、その粘着テープで表面温度センサーを被測定物に固定し、計測後はテープを表面温度センサーから剥離するので、表面温度センサーを固定・剥離するのに手間が掛り作業効率が悪いとの不具合があった。また、接着剤の場合も、接着剤をいずれかの絶縁性シートの反熱電対面に塗布して表面温度センサーを被測定物に固定し、剥離した後は絶縁性シート及び被測定物に付着している接着剤を除去するので、表面温度センサーを固定・剥離するのに手間が掛り作業効率が悪いとの不具合があった。
【０００５】
下記特許文献１では、この問題を解決するために、接着層を介して一対の絶縁性テープの間に熱電対を保持し、この熱電対の接合部近傍にてそれら絶縁性テープの一方を除去して接着層を部分的に露出させ、露出した接着層の部分で被測定物に熱電対を固定することが提案されている。
【０００６】
しかしながら、前記特許文献１では熱電対の接合部を絶縁テープから露出させて被測定物に貼り付けているので、温度測定にノイズが入り、また被測定物から剥離するときに熱電対が損傷するとの不具合があった。
【先行技術文献】
【特許文献】
【０００７】
【特許文献１】特開平１０−２８０５号
【考案の概要】
【考案が解決しようとする課題】
【０００８】
本考案は、かかる上述の問題点を解決するためになされたものであって、その目的とするところは、被測定物に容易に固定することができ、被測定物から剥離した後も手間のかからない表面温度センサーを提供することである。
【課題を解決するための手段】
【０００９】
上記目的を達成するため、本考案の請求項１に係る表面温度センサーは、２枚の絶縁性シートで熱電対を挟んだ表面温度センサーにおいて、前記絶縁性シートの内の少なくともいずれかの絶縁性シートの熱電対面が粘着力を有し、前記絶縁性シートの内のいずれかの絶縁性シートの反熱電対面が繰返し粘着力を有することを特徴とするものである。
【００１０】
また、本考案の請求項２に係る表面温度センサーは、請求項１に記載の表面温度センサーにおいて、前記絶縁性シートが耐熱絶縁性シートであることを特徴とするものである。
【００１１】
また、本考案の請求項３に係る表面温度センサーは、請求項１又は２に記載の表面温度センサーにおいて、反熱電対面が繰返し粘着力を有する前記絶縁性シートの反熱電対面側に剥離紙を貼着したことを特徴とするものである。
【考案の効果】
【００１２】
本考案は、以下の効果を奏する。
【００１３】
すなわち、上記構成を備えた表面温度センサーは、絶縁性シートの内の少なくともいずれかの絶縁性シートの熱電対面が粘着力を有しているので、熱電対を間に挟んで両面を絶縁性シートで貼り合わせて表面温度センサーを製造する場合に、絶縁性シートと熱電対の間に接着剤を塗布する必要がなく容易に絶縁性シートの間に熱電対を貼着することができる。
【００１４】
また、表面温度センサーを構成している絶縁性シートの内のいずれかの絶縁性シートの反熱電対面が繰返し粘着力を有しているので、表面温度センサーを被測定物に固定するときに粘着テープを準備切断する必要もなく、また絶縁性シートと被測定物の間に接着剤を塗布する必要もなく、繰返し粘着力を有している反熱電対面を被測定物に貼り付けることで表面温度センサーを容易に固定することができる。しかも、被測定物と貼り合わされている絶縁性シートの反熱電対面は繰返し粘着力を有しているので、剥離後に被測定物の接着面を拭き取る必要もなく、また、別の被測定物に固定することができるので、計測作業の効率化を図ることができる。
【００１５】
更に、絶縁性シートが耐熱絶縁性シートであれば、高温の被測定物も計測することができる。
【００１６】
更に、反熱電対面が繰返し粘着力を有する絶縁性シートの反熱電対面側に剥離紙が貼着されているので、使用前に異物が付着するのを防止することができる。
【図面の簡単な説明】
【００１７】
【図１】本考案に係る表面温度センサーで、（１）が正面図、（2）が平面図である。
【考案を実施するための形態】
【００１８】
以下に図面を参照して、この考案の実施形態を例示して説明する。
【００１９】
図１は、本考案に係る表面温度センサーの一実施形態を示すもので、（１）は正面図、（２）は平面図である。
【００２０】
図１に示す通り、本考案にかかる表面温度センサー１は、熱電対１０と、２枚の絶縁性シート２０と、剥離紙３０とを備えている。
【００２１】
熱電対１０は、工業用熱電対として頻繁に使用されるＫ熱電対であり、２種類の金属の接続点１１と出力端子１２側との温度差により生じる熱起電力により温度を測定するもので、２種類の金属としては、白金と白金ロジウム、クロメルとアルメル、銅とコンスタンタン等が用いられる。
【００２２】
絶縁性シート２０は、熱電対１０を間に挟むように２枚（２０Ａ，２０Ｂ）で構成される。一の絶縁性シート２０Ａは、熱電対面２１Ａに粘着力を有するように接着剤２３が塗布されている。尚、他の絶縁性シート２０Ｂの熱電対面２１Ｂには、接着剤が塗布されていないが、接着剤が塗布されていてもよい。また、逆に一の絶縁性シートＡの熱電対面２１Ａには接着剤が塗布されていないで、他の絶縁性シート２０Ｂの熱電対面２１Ｂに接着剤が塗布されていてもよい。
【００２３】
更に、一の絶縁性シート２０Ａの反熱電対面２２Ａには、繰返し粘着力を有する接着剤２４が塗布されていて、更に繰返し粘着力を有する接着剤２４を覆うように剥離紙３０が貼着されている。尚、この場合においても、一の絶縁性シート２０Ａの反熱電対面２２Ａには、繰返し粘着力を有する接着剤２４が塗布されていないで、他の絶縁性シート２０Ｂの反熱電対面２２Ｂに、繰返し粘着力を有する接着剤２４が塗布され、更に繰返し粘着力を有する接着剤２４を覆うように剥離紙３０が貼着されていてもよい。
【００２４】
絶縁性シート２０の材質としては、絶縁性が高く耐熱性も良好であるポリイミドアミド樹脂等が用いられる。
【００２５】
剥離紙３０の材質としては、剥がれやすいセロファン等が用いられる。
【００２６】  尚、上記説明では、一の絶縁性シート２０Ａの熱電対面２１Ａに粘着力を有する接着剤２３が塗布され、反熱電対面２２Ａには、繰返し粘着力を有する接着剤２４が塗布されていて、更に繰返し粘着力を有する接着剤２４を覆うように剥離紙３０が貼着されていると説明したが、このようなものとして市販されている接着シートを用いても良い。例えば、（公序良俗違反につき、不掲載）を使用することができる。
【００２７】
以上の通り、本願に係る表面温度センサー１は、一の絶縁性シート２０Ａの熱電対面２１Ａに粘着力を有する接着剤２３が塗布されているので、２枚の絶縁性シート（２０Ａ，２０Ｂ）で熱電対１０を挟んで表面温度センサー１製造する場合、絶縁性シート２０Ａの熱電対面２１Ａと熱電対１０との間に接着剤を塗布する必要がなく容易に絶縁性シート（２０Ａ，２０Ｂ）の間に熱電対１０を貼着することが可能となる。
【００２８】
また、一の絶縁性シート２０Ａの反熱電対面２２Ａに繰返し粘着力を有する接着剤２４が塗布されているので、反熱電対面２２Ａを被測定物に貼り付けることで表面温度センサー１を固定することができるので、計測作業の効率化が可能となる。
【符号の説明】
【００２９】
１              表面温度センサー
１０            熱電対
１１            接続点
１２            出力端子
２０，２０Ａ，２０Ｂ  絶縁性シート
２１Ａ，２１Ｂ  熱電対面
２２Ａ，２２Ｂ  反熱電対面
２３            粘着力を有する接着剤
２４            繰返し粘着力を有する接着剤
３０            剥離紙
【図１】
0003184781.tif 000003
【手続補正書】
【提出日】平成25年5月16日(2013.5.16)
【手続補正１】
【補正対象書類名】明細書
【補正対象項目名】００２６
【補正方法】変更
【補正の内容】
【００２６】
尚、上記説明では、一の絶縁性シート２０Ａの熱電対面２１Ａに粘着力を有する接着剤２３が塗布され、反熱電対面２２Ａには、繰返し粘着力を有する接着剤２４が塗布されていて、更に繰返し粘着力を有する接着剤２４を覆うように剥離紙３０が貼着されていると説明したが、このようなものとして市販されている接着シートを用いても良い。